(57)【特許請求の範囲】
【請求項１】
プッシュトゥトーク通話機能を有する携帯電話機であって、
前記携帯電話機の状態を示す画像を表示する第１領域と、機能に係る画面を表示する第２領域とを有する表示部と、
プッシュトゥトーク通話を制御するＰＴＴ制御部と、
利用者から入力操作を受け付ける操作部と、
プッシュトゥトーク通話機能の起動中に受け取った前記入力操作が、他の機能に係る画面の表示操作を含む場合、前記第２領域に前記他の機能に係る画面を表示すると共に、前記第１領域にプッシュトゥトーク通話に係る情報を表示するように制御する表示制御部とを備え、
前記第２領域は、前記第１領域より大きく、固定の大きさであり、
前記ＰＴＴ制御部が、発言権の新たな取得者の通知を受け取った場合、前記表示制御部は、プッシュトゥトーク通話に係る前記情報として、前記取得者を示す情報を表示するように制御する
ことを特徴とする携帯電話機。
【請求項２】
前記表示制御部は、前記取得者を示す情報として、当該取得者の電話番号、名前、又は当該取得者を表すアイコンを表示するように制御する
ことを特徴とする請求項１に記載の携帯電話機。
【請求項３】
前記ＰＴＴ制御部は、プッシュトゥトーク通話に参加する参加者の通知を受け取り、
前記表示制御部は、プッシュトゥトーク通話に係る前記情報として、前記参加者を示す情報を表示するように制御する
ことを特徴とする請求項１に記載の携帯電話機。
【請求項４】
前記表示制御部は、前記参加者を示す情報として、当該参加者を表すアイコンを表示するように制御する
ことを特徴とする請求項３に記載の携帯電話機。
【請求項５】
前記ＰＴＴ制御部は、プッシュトゥトーク通話における発言権の解放を示す通知を受け取り、
前記表示制御部は、プッシュトゥトーク通話に係る前記情報として、発言権の解放を示す解放情報を表示するように制御する
ことを特徴とする請求項１に記載の携帯電話機。
【請求項６】
前記表示制御部は、前記第１領域に、当該携帯電話機の状態を表わすアイコンに代えて、又は、当該アイコンとともに、プッシュトゥトーク通話に係る前記情報を表示するように制御する
ことを特徴とする請求項１に記載の携帯電話機。
【請求項７】
プッシュトゥトーク通話機能を有し、画像を表示する表示部を備える携帯電話機を制御する制御方法であって、
前記表示部は、前記携帯電話機の状態を示す画像を表示する第１領域と、機能に係る画面を表示する第２領域とを有し、前記第２領域は、前記第１領域より大きく、固定の大きさであり、
前記制御方法は、
プッシュトゥトーク通話を制御するＰＴＴ制御ステップと、
利用者から入力操作を受け付ける操作ステップと、
プッシュトゥトーク通話機能の起動中に受け取った前記入力操作が、他の機能に係る画面の表示操作を含む場合、前記第２領域に前記他の機能に係る画面を表示すると共に、前記第１領域にプッシュトゥトーク通話に係る情報を表示するように制御する表示制御ステップとを含み、
前記ＰＴＴ制御ステップにより、発言権の新たな取得者の通知を受け取った場合、前記表示制御ステップにより、プッシュトゥトーク通話に係る前記情報として、前記取得者を示す情報を表示するように制御する
ことを特徴とする制御方法。
【発明の詳細な説明】
【技術分野】
【０００１】
本発明は、Ｐｕｓｈ−ｔｏ−Ｔａｌｋ（プッシュトゥトーク：ＰＴＴ）機能を備える携帯電話機に関する。
【背景技術】
【０００２】
近年、携帯電話機にＰＴＴ機能を実装し、一対多型のグループ通話を実現するＰＴＴサービスが普及し始めている。ＰＴＴ機能とは、送話ボタンを押している間、音声送信状態とする音声通話機能である。ＰＴＴサービスでは、二人以上が同時に発話することはできない。誰かが話し終わるのを待ち、発言権（以下、Ｆｌｏｏｒと呼ぶ。）を取得した後に、Ｆｌｏｏｒを取得した者のみが話すことができる（特許文献１及び２）。
【０００３】
また、特許文献３によると、一対多型のグループ通話の場合に、グループに属する各通話相手の名前、電話番号等が着信画面に表示される。
【先行技術文献】
【特許文献】
【０００４】
【特許文献１】国際公開第２００７／０４００５６号
【特許文献２】特開２００８−２３６６４０号公報
【特許文献３】特開２００６−１３６１５号公報
【発明の概要】
【発明が解決しようとする課題】
【０００５】
特許文献３によると、グループに属する各通話相手の名前等が着信画面に表示されるので、携帯電話機の利用者は、ＰＴＴによる通話（以下、ＰＴＴ通話と呼ぶ。）の相手を知ることができる。しかし、ＰＴＴ通話中に、メール機能や電話帳の表示など、他の機能を起動させると、通話相手の名前等に上書きして、他の機能に係る画面が表示される。このため、ＰＴＴ通話を継続することはできるものの、通話相手の名前等が表示されなくなり、利用者は、ＰＴＴ通話に関する情報を得ることができなくなるという問題がある。
【０００６】
本発明は、上記の問題を解決するため、ＰＴＴ通話中に、他の機能に係る画面が表示される場合であっても、ＰＴＴ通話に関する情報を得ることができる携帯電話機及び制御方法を提供する。
【課題を解決するための手段】
【０００７】
本発明は、プッシュトゥトーク通話機能を有する携帯電話機であって、前記携帯電話機の状態を示す画像を表示する第１領域と、機能に係る画面を表示する第２領域とを有する表示部と、プッシュトゥトーク通話を制御するＰＴＴ制御部と、利用者から入力操作を受け付ける操作部と、プッシュトゥトーク通話機能の起動中に受け取った前記入力操作が、他の機能に係る画面の表示操作を含む場合、前記第２領域に前記他の機能に係る画面を表示すると共に、前記第１領域にプッシュトゥトーク通話に係る情報を表示するように制御する表示制御部とを備え、前記第２領域は、前記第１領域より大きく、固定の大きさであり、前記ＰＴＴ制御部が、発言権の新たな取得者の通知を受け取った場合、前記表示制御部は、プッシュトゥトーク通話に係る前記情報として、前記取得者を示す情報を表示するように制御することを特徴とする。
【発明の効果】
【０００８】
この構成によると、ＰＴＴ通話中に、他の機能に係る画面が表示される場合であっても、ＰＴＴ通話に関する情報を得ることができるという優れた効果を奏する。
【図面の簡単な説明】
【０００９】
【図１】携帯電話機１００の外観斜視図を示す。
【図２】携帯電話機１００の構成を示すブロック図である。
【図３】オブジェクト記憶領域２０１に記憶されている表示オブジェクトの一例を示す。
【図４】優先順位リスト２１０のデータ構造の一例、及び、Ｆｌｏｏｒ取得者名が追加された後の優先順位リスト２１０ａのデータ構造の一例を示す。
【図５】表示部１０９に表示される画面の遷移を示す。
【図６】携帯電話機１００の動作を示すフローチャートである。図７に続く。
【図７】携帯電話機１００の動作を示すフローチャートである。図６から続く。
【図８】状態表示行１０９ａへのＦｌｏｏｒ取得者名の表示の動作を示すシーケンス図である。
【図９】状態表示行１０９ａへのＦｌｏｏｒ解放の表示の動作を示すシーケンス図である。
【図１０】状態表示行１０９ａからのＦｌｏｏｒ取得者名の削除の動作を示すシーケンス図である。
【図１１】変形例として、表示部１０９に表示される画面２２１を示す。
【図１２】状態表示行１０９ａへの参加者を表すアイコンの表示の動作を示すシーケンス図である。
【図１３】変形例として、表示部１０９に表示される画面２３１を示す。
【図１４】変形例として、表示部１０９に表示される画面２４１を示す。
【図１５】変形例として、表示部１０９に表示される画面２５１を示す。
【発明を実施するための形態】
【００１０】
本発明に係る一の実施の形態としての携帯電話機１００について説明する。
携帯電話機１００は、ＰＴＴ機能を有し、一対多型のＰＴＴ通話を実現する。
ＰＴＴ通話を開始する場合、携帯電話機１００は、最初に、ＰＴＴ通話を仲介するサーバ装置（図示していない）にログインする。次に、通話相手であり、同じくＰＴＴ機能を備えた他の１台以上の携帯電話機を指定する。指定した他の携帯電話機によるサーバ装置へのログインがされており、Ｆｌｏｏｒが解放されていれば、送話ボタンを押すことにより、指定した携帯電話機への送話が可能となる。また、送話ボタンを離すことにより、通話相手からの送話を聞くことができる。
【００１１】
図１にその外観を示すように、携帯電話機１００は、ＰＴＴ通話中に、参加者名リスト１６１を表示する。参加者名リスト１６１は、ＰＴＴ通話に参加している通話者の名前の一覧である。参加者名リスト１６１は、Ｆｌｏｏｒを取得したＦｌｏｏｒ取得者の名前１５１及びＰＴＴ通話へのその他の参加者の名前１５２を含んでいる。
また、携帯電話機１００は、さらに、電子メールの送受信、音楽や映像の再生、テレビジョン放送波の受信及び再生、写真の撮影及び表示、電話帳の表示や編集、各種設定等のアプリ（機能）を有し、それぞれのアプリを操作するための画面を表示する。
【００１２】
１．携帯電話機１００の構成
携帯電話機１００は、図２に示すように、アンテナ１０１、通信回路１０２、音声処理部１０３、マイク１０４、スピーカ１０５、記憶部１０６、ＰＴＴ制御部１０７、表示制御部１０８、表示部１０９、制御部１１０及び操作部１１１から構成されている。
（１）記憶部１０６
記憶部１０６は、オブジェクト記憶領域２０１、優先順位リスト２１０及び電話帳２２０を保持している。
【００１３】
（オブジェクト記憶領域２０１）
オブジェクト記憶領域２０１は、後述する状態表示行１０９ａに表示されるべき表示オブジェクトを記憶するための領域を備えている。オブジェクト記憶領域２０１は、図３に一例として示すように、Ｆｌｏｏｒ取得者名２０２、アイコン２０３及びアイコン２０４を記憶している。表示オブジェクトの一例は、Ｆｌｏｏｒ取得者名２０２、アイコン２０３及びアイコン２０４である。
【００１４】
ここで、Ｆｌｏｏｒ取得者名２０２は、Ｆｌｏｏｒを取得した取得者の名前を表す画像である。アイコン２０３及びアイコン２０４は、それぞれ、携帯電話機１００における電波の受信状況及び携帯電話機１００が備える二次電池の残容量を表すアイコンである。
アイコン２０３及びアイコン２０４は、それぞれ、図１に示すように、状態表示行１０９ａにおいて、アイコン１４１及びアイコン１４２として、表示される。
【００１５】
（優先順位リスト２１０）
優先順位リスト２１０は、オブジェクト記憶領域２０１に記憶されている表示オブジェクトのうち、どの表示オブジェクトが状態表示行１０９ａに表示されるべきかを示す。言い換えると、優先順位リスト２１０において、より高い優先順位を有する表示オブジェクトのみが状態表示行１０９ａに表示される。
【００１６】
優先順位リスト２１０は、一例として、図４に示すように、複数のオブジェクト情報を含んでいる。各オブジェクト情報は、優先順位及びオブジェクトＩＤを含む。オブジェクトＩＤは、オブジェクト記憶領域２０１に記憶されている表示オブジェクトを識別する識別情報である。優先順位は、対応するオブジェクトＩＤにより識別される表示オブジェクトに割り当てられた優先順位を示す。なお、優先順位の値が小さいほど、優先順位は、高いものとする。
【００１７】
優先順位リスト２１０において、最も高い優先順位に対応するオブジェクトＩＤにより識別される表示オブジェクトのみが、状態表示行１０９ａに表示される。
図４において、優先順位リスト２１０は、オブジェクト情報２１１及び２１２を含んでいる。オブジェクト情報２１１に含まれる優先順位は、「１」であり、オブジェクトＩＤは、「Ｐ−１」である。ここで、「Ｐ−１」は、図３に示すアイコン２０３を識別する識別情報である。また、オブジェクト情報２１２に含まれる優先順位は、「１」であり、オブジェクトＩＤは、「Ｐ−２」である。ここで、「Ｐ−２」は、図３に示すアイコン２０４を識別する識別情報である。オブジェクト情報２１１に含まれる優先順位と、オブジェクト情報２１２に含まれる優先順位とは、同位である。また、優先順位リスト２１０には、その他の優先順位が含まれていない。従って、アイコン２０３及び２０４が状態表示行１０９ａに表示される。
【００１８】
また、図４に示す優先順位リスト２１０ａにおいては、優先順位リスト２１０と比較して、Ｆｌｏｏｒ取得者名についてのオブジェクト情報２１３が追加されている。
図４に示す優先順位リスト２１０ａは、オブジェクト情報２１３、２１４及び２１５を含んでいる。オブジェクト情報２１３に含まれる優先順位は、「１」であり、オブジェクトＩＤは、「Ｎ−１」である。ここで、「Ｎ−１」は、図３に示すＦｌｏｏｒ取得者名２０２を識別する識別情報である。また、オブジェクト情報２１４に含まれる優先順位は、「２」であり、オブジェクトＩＤは、「Ｐ−１」である。さらに、オブジェクト情報２１５に含まれる優先順位は、「２」であり、オブジェクトＩＤは、「Ｐ−２」である。また、オブジェクト情報２１３に含まれる優先順位は、オブジェクト情報２１４及び２１５にそれぞれ含まれる優先順位より、高い。従って、Ｆｌｏｏｒ取得者名２０２が状態表示行１０９ａに表示される。
【００１９】
（電話帳２２０）
電話帳２２０は、通常電話帳及びＰＴＴ電話帳から構成されている。通常電話帳は、通常の電話のために用いられる電話帳である。これに対して、ＰＴＴ電話帳は、ＰＴＴ通話のために用いられる電話帳である。
通常電話帳は、複数の通話相手情報を含む。各通話相手情報は、通話相手の名前、電話番号、メールアドレス、住所等を含む。
【００２０】
一方、ＰＴＴ電話帳は、通常電話帳と同様に、複数の通話相手情報を含む。各通話相手情報は、通話相手の名前、通話相手のＩＤ（具体的には、電話番号）等を含む。ＰＴＴ電話帳は、ＰＴＴ通話を仲介するサーバ装置と携帯電話機１００との間で同期管理されている。
（２）アンテナ１０１及び通信回路１０２
アンテナ１０１は、図示していない基地局との間で無線回線を介して無線信号を送受信する。通信回路１０２は、アンテナ１０１により送受信される無線信号の周波数選択や周波数変換等を行う。
【００２１】
（３）スピーカ１０５、マイク１０４、操作部１１１及び音声処理部１０３
スピーカ１０５は、音声等の音響を出力する。
マイク１０４は、音声等の音響を入力する。
音声処理部１０３は、通信回路１０２により受信された音声信号を復調してスピーカ１０５に対して音響信号として出力する。また、マイク１０４より入力された音響信号に対応して電気信号に変換された音声信号を変調し、通信回路１０２により送信させる。
【００２２】
操作部１１１は、携帯電話機１００をＯＮ又はＯＦＦとするための電源スイッチとしての電源キー、テンキー、送話ボタン、その他のキーやボタンを含む。操作部１１１は、これらのキーやボタンが操作されると、操作されたキーやボタンに対応する操作情報を生成し、生成した操作情報を制御部１１０に対して出力する。
（４）表示部１０９
表示部１０９は、図１に示すように、状態表示行（共通表示エリア又はピクト行とも呼ぶ。）１０９ａ及び機能画面表示領域１０９ｂを有している。
【００２３】
状態表示行１０９ａには、携帯電話機１００における基本状態を表すアイコン（状態表示画像とも呼ぶ。）が表示される。基本状態とは、携帯電話機１００における電波の受信状況や携帯電話機１００が備える二次電池の残容量である。状態表示行１０９ａには、一例として、携帯電話機１００における電波の受信状況を表すアイコン１４１や携帯電話機１００が備える二次電池の残容量を表すアイコン１４２が表示される。また、状態表示行１０９ａには、後述するように、ＰＴＴ通話に係る情報が表示される。
【００２４】
また、機能画面表示領域１０９ｂには、待ち受け画面、電子メールの操作画面、電子メールの受信ボックスの一覧を示す一覧画面、電子メールの作成画面、設定画面などが表示される。
表示部１０９により表示される画面の遷移を図５に示す。
この図に示すように、ＰＴＴが開始されると、表示部１０９は、画面１２１を表示する。画面１２１においては、状態表示行１０９ａに、アイコン１４１及び１４２が表示されている。また、機能画面表示領域１０９ｂには、参加者名リスト１６１が表示されている。上述したように、参加者名リスト１６１は、Ｆｌｏｏｒを取得したＦｌｏｏｒ取得者の名前１５１及びＰＴＴ通話へのその他の参加者の名前１５２を含んでいる。
【００２５】
表示部１０９が画面１２１を表示している状態において、一例として、メール機能が起動されると、表示部１０９は、画面１２２を表示する。画面１２２においては、状態表示行１０９ａに、Ｆｌｏｏｒを取得したＦｌｏｏｒ取得者の名前１７１が表示されている。また、機能画面表示領域１０９ｂには、電子メール機能の選択肢を示す選択肢リスト１８１が表示されている。選択肢リスト１８１は、電子メール機能のメニューであることを示すタイトル及び複数の電子メール機能の選択肢を含んでいる。
【００２６】
表示部１０９が画面１２２を表示している状態において、Ｆｌｏｏｒが解放されると、表示部１０９は、画面１２５を表示する。画面１２５においては、状態表示行１０９ａに、Ｆｌｏｏｒの解放を示す解放情報１７２が表示されている。また、機能画面表示領域１０９ｂには、電子メール機能の選択肢を示す選択肢リスト１８１が表示されている。
表示部１０９が画面１２５を表示している状態において、新たにＦｌｏｏｒが取得されると、表示部１０９は、画面１２６を表示する。画面１２６においては、状態表示行１０９ａに、Ｆｌｏｏｒを取得したＦｌｏｏｒ取得者の名前１７３が表示されている。また、機能画面表示領域１０９ｂには、電子メール機能の選択肢を示す選択肢リスト１８１が表示されている。
【００２７】
表示部１０９が画面１２２を表示している状態において、電子メール機能の選択肢として、「受信ボックス」が選択されると、表示部１０９は、画面１２３を表示する。画面１２３においては、状態表示行１０９ａに、Ｆｌｏｏｒを取得したＦｌｏｏｒ取得者の名前１７１が表示されている。また、機能画面表示領域１０９ｂには、電子メールの受信ボックスに記憶されている電子メールの受信リスト１８２が表示されている。
【００２８】
表示部１０９が画面１２３を表示している状態において、ＰＴＴの終了が操作されると、表示部１０９は、画面１２４を表示する。画面１２４においては、状態表示行１０９ａに、アイコン１４１及び１４２が表示されている。また、機能画面表示領域１０９ｂには、電子メールの受信リスト１８２が表示されている。
（５）ＰＴＴ制御部１０７
ＰＴＴ制御部１０７は、以下に示すようにして、ＰＴＴ通話を制御する。
【００２９】
ＰＴＴ制御部１０７は、操作部１１１から、制御部１１０を介して、ＰＴＴの開始の操作を示す操作情報を受け取る。この操作情報を受け取ると、ＰＴＴ制御部１０７は、サーバ装置にログインする。これにより、ＰＴＴが開始される。また、ＰＴＴ制御部１０７は、サーバ装置から、Ｆｌｏｏｒ取得者が存在していれば、Ｆｌｏｏｒ取得者ＩＤを取得する。また、参加者が存在していれば、参加者ＩＤを取得する。言い換えると、ＰＴＴ通話に参加する参加者の通知を受け取る。また、ＰＴＴ制御部１０７は、Ｆｌｏｏｒの解放を受信する。言い換えると、ＰＴＴ通話における発言権の解放を示す通知を受け取る。また、新たにＦｌｏｏｒを取得した取得者のＦｌｏｏｒ取得者ＩＤを受信する。言い換えると、Ｆｌｏｏｒの新たな取得者の通知を受け取る。また、ＰＴＴ中において、操作部１１１から、制御部１１０を介して、他のアプリの終了を示す操作情報又はＰＴＴの終了を示す操作情報を受け取る。
【００３０】
ＰＴＴ制御部１０７は、Ｆｌｏｏｒ取得者ＩＤを取得すると、ＰＴＴ電話帳からＦｌｏｏｒ取得者ＩＤに対応するＦｌｏｏｒ取得者名を読み出す。また、参加者ＩＤを取得すると、ＰＴＴ電話帳から参加者ＩＤに対応する参加者名を読み出す。次に、ＰＴＴ制御部１０７は、Ｆｌｏｏｒ取得者名及び参加者名から構成される参加者名リスト１６１を生成する。次に、生成した参加者名リスト１６１を、表示機能部１０８ａを介して、表示部１０９に対して出力する。
【００３１】
ＰＴＴ中において、他のアプリの起動を示す操作情報を受け取ると、ＰＴＴ制御部１０７は、Ｆｌｏｏｒ取得者名をオブジェクト記憶領域２０１に書き込む。次に、優先順位リスト２１０において、Ｆｌｏｏｒ取得者名を、優先順位の第一位に設定する。次に、表示機能部１０８ａ及びピクト制御部１０８ｂに対して、ピクト更新要求を出力する。
ＰＴＴ中において、Ｆｌｏｏｒの解放を受信すると、ＰＴＴ制御部１０７は、Ｆｌｏｏｒ取得者名をオブジェクト記憶領域２０１から削除する。次に、「Ｆｌｏｏｒ解放」をオブジェクト記憶領域２０１に書き込む。次に、優先順位リスト２１０において、「Ｆｌｏｏｒ解放」を、優先順位の第一位に設定する。次に、表示機能部１０８ａ及びピクト制御部１０８ｂに対して、ピクト更新要求を出力する。
【００３２】
ＰＴＴ中において、新たにＦｌｏｏｒを取得した取得者のＦｌｏｏｒ取得者ＩＤを受信すると、ＰＴＴ制御部１０７は、ＰＴＴ電話帳からＦｌｏｏｒ取得者ＩＤに対応するＦｌｏｏｒ取得者名を読み出す。次に、Ｆｌｏｏｒ取得者名をオブジェクト記憶領域２０１に書き込む。次に、優先順位リスト２１０において、Ｆｌｏｏｒ取得者名を、優先順位の第一位に設定する。次に、表示機能部１０８ａ及びピクト制御部１０８ｂに対して、ピクト更新要求を出力する。
【００３３】
ＰＴＴ中において、他のアプリ又はＰＴＴの終了を示す操作情報を受け取ると、ＰＴＴ制御部１０７は、オブジェクト記憶領域２０１にＦｌｏｏｒ取得者名又は「Ｆｌｏｏｒ解放」が存在するかを確認する。いずれか一方が存在すれば、Ｆｌｏｏｒ取得者名又は「Ｆｌｏｏｒ解放」をオブジェクト記憶領域２０１から削除する。次に、優先順位リスト２１０において、Ｆｌｏｏｒに関する設定を削除する。次に、表示機能部１０８ａ及びピクト制御部１０８ｂに対して、ピクト更新要求を出力する。
【００３４】
（６）表示制御部１０８
表示制御部１０８は、表示機能部１０８ａ及びピクト制御部１０８ｂを含んでいる。
表示制御部１０８は、操作部１１１から、制御部１１０を介して、操作情報を受け取る。表示制御部１０８は、ＰＴＴ通話中に、受け取った操作情報が他のアプリに係る画面の表示操作を示す場合に、表示機能部１０８ａ及びピクト制御部１０８ｂにより、以下に示すようにして、状態表示行１０９ａに、ＰＴＴ通話に係る情報を表示するように制御する。
【００３５】
表示機能部１０８ａは、他のアプリの表示内容を生成し、生成した表示内容を表示部１０９に対して出力して、表示するように制御する。また、表示機能部１０８ａは、ＰＴＴ制御部１０７から、ピクト更新要求を受け取ると、受け取ったピクト更新要求をピクト制御部１０８ｂに対して出力する。
ピクト制御部１０８ｂは、ＰＴＴ制御部１０７から、表示機能部１０８ａを介して、ピクト更新要求を受け取る。ピクト更新要求を受け取ると、ピクト制御部１０８ｂは、優先順位リスト２１０を用い、優先順位リスト２１０において最も高い優先順位が設定されているオブジェクトＩＤを選択する。こうして、選択したオブジェクトＩＤにより識別される表示オブジェクトを、状態表示行１０９ａに表示すべき表示オブジェクトとして決定する。次に、決定した表示オブジェクトをオブジェクト記憶領域２０１から読み出す。次に、ピクト制御部１０８ｂは、読み出した表示オブジェクトを表示部１０９に対して出力して、状態表示行１０９ａに表示するように指示する。こうして、表示オブジェクトが状態表示行１０９ａに表示される。
【００３６】
（７）制御部１１０
制御部１１０は、携帯電話機１００の構成要素であるアンテナ１０１、通信回路１０２、音声処理部１０３、マイク１０４、スピーカ１０５、記憶部１０６、ＰＴＴ制御部１０７、表示制御部１０８、表示部１０９及び操作部１１１を制御する。
また、制御部１１０は、操作部１１０からＰＴＴの開始の操作情報を受け取り、当該操作情報をＰＴＴ制御部１０７に対して出力する。また、操作部１１０からアプリの起動やアプリに係る画面の表示を示す操作情報を受け取り、当該操作情報を表示制御部１０８に対して出力する。
【００３７】
２．携帯電話機１００の動作
携帯電話機１００の動作について説明する。
（１）ＰＴＴ通話の動作
ＰＴＴ通話の動作について、図６〜図７に示すフローチャートを用いて説明する。なお、ここでの説明は、ＰＴＴ通話中に他のアプリの起動操作が行われた場合の動作を中心として行う。
【００３８】
操作部１１１により、ＰＴＴの開始の操作が受け付けられると（ステップＳ１０１）、ＰＴＴ制御部１０７は、サーバ装置にログインして、ＰＴＴが開始される（ステップＳ１０２）。
ＰＴＴ制御部１０７は、サーバ装置から、Ｆｌｏｏｒ取得者が存在していれば、Ｆｌｏｏｒ取得者ＩＤを取得する（ステップＳ１０３）。また、参加者が存在していれば、参加者ＩＤを取得する（ステップＳ１０４）。
【００３９】
次に、ＰＴＴ制御部１０７は、ＰＴＴ電話帳からＦｌｏｏｒ取得者ＩＤに対応するＦｌｏｏｒ取得者名を読み出し（ステップＳ１０５）、ＰＴＴ電話帳から参加者ＩＤに対応する参加者名を読み出す（ステップＳ１０６）。次に、ＰＴＴ制御部１０７は、Ｆｌｏｏｒ取得者名及び参加者名から構成される参加者名リスト１６１を生成し（ステップＳ１０７）、表示部１０９は、機能画面表示領域１０９ｂに参加者名リスト１６１を表示する（ステップＳ１０８）。
【００４０】
次に、操作部１１１は、利用者の操作を受け付ける。受け付けられた操作が他のアプリの操作であって、当該アプリに係る画面の表示を伴うものである場合（ステップＳ１０９で、「他のアプリの操作」）、表示機能部１０８ａは、当該他のアプリの表示内容を生成し（ステップＳ１１０）、表示部１０９は、機能画面表示領域１０９ｂに当該他のアプリの表示内容を表示する（ステップＳ１１１）。
【００４１】
次に、状態表示行１０９ａに、Ｆｌｏｏｒ取得者名が表示される（ステップＳ１１２）。
次に、ＰＴＴ制御部１０７は、Ｆｌｏｏｒの解放を受信する（ステップＳ１１３）。状態表示行１０９ａからＦｌｏｏｒ取得者名が削除され、Ｆｌｏｏｒの解放が状態表示行１０９ａに表示される（ステップＳ１１４）。
【００４２】
次に、ＰＴＴ制御部１０７は、新たにＦｌｏｏｒを取得した取得者のＦｌｏｏｒ取得者ＩＤを受信する（ステップＳ１１５）。ＰＴＴ制御部１０７は、ＰＴＴ電話帳からＦｌｏｏｒ取得者ＩＤに対応するＦｌｏｏｒ取得者名を読み出す（ステップＳ１１６）。状態表示行１０９ａにＦｌｏｏｒ取得者名が表示される（ステップＳ１１７）。
次に、操作部１１１は、利用者の操作を受け付ける。受け付けられた操作がＰＴＴの終了である場合（ステップＳ１１８で、「ＰＴＴの終了」）、状態表示行１０９ａからＦｌｏｏｒ取得者名が削除される。次に、状態表示行１０９ａに電波状態及び電池残量をそれぞれ示すアイコンが表示される（ステップＳ１１９）。
【００４３】
受け付けられた操作が他のアプリの操作である場合（ステップＳ１１８で、「他のアプリの終了」）、状態表示行１０９ａからＦｌｏｏｒ取得者名が削除される。次に、状態表示行１０９ａに電波状態及び電池残量をそれぞれ示すアイコンが表示される（ステップＳ１２０）。次に、表示部１０９は、参加者名リスト１６１を表示する（ステップＳ１２１）。
【００４４】
（２）状態表示行１０９ａに対するＦｌｏｏｒ取得者名の表示の動作
状態表示行１０９ａに対するＦｌｏｏｒ取得者名の表示の動作について、図８に示すシーケンス図を用いて、説明する。なお、この説明は、図６に示すフローチャートのステップＳ１１２の詳細である。
ＰＴＴ制御部１０７は、Ｆｌｏｏｒ取得者名をオブジェクト記憶領域２０１に書き込む（ステップＳ２０１）。次に、優先順位リスト２１０において、Ｆｌｏｏｒ取得者名を、優先順位の第一位に設定する（ステップＳ２０２）。
【００４５】
次に、ＰＴＴ制御部１０７は、表示機能部１０８ａを介して、ピクト制御部１０８ｂに対して、ピクト更新要求を出力する（ステップＳ２０３、Ｓ２０４）。
ピクト制御部１０８ｂは、優先順位リスト２１０を用いて、状態表示行１０９ａに表示すべき表示オブジェクトを決定する（ステップＳ２０５）。次に、決定した表示オブジェクトをオブジェクト記憶領域２０１から読み出す（ステップＳ２０６）。次に、ピクト制御部１０８ｂは、読み出した表示オブジェクトを表示部１０９に対して出力して、状態表示行１０９ａに表示するように指示する（ステップＳ２０７）。
【００４６】
こうして、Ｆｌｏｏｒ取得者名が状態表示行１０９ａに表示される。ここで、Ｆｌｏｏｒ取得者名は、ＰＴＴ通話に係る情報のうちの一つである。
これにより、利用者は、Ｆｌｏｏｒ取得者の名前を知ることができる。
（３）状態表示行１０９ａに対するＦｌｏｏｒ解放の表示の動作
状態表示行１０９ａに対するＦｌｏｏｒ解放の表示の動作について、図９に示すシーケンス図を用いて、説明する。なお、この説明は、図７に示すフローチャートのステップＳ１１４の詳細である。
【００４７】
ＰＴＴ制御部１０７は、Ｆｌｏｏｒ取得者名をオブジェクト記憶領域２０１から削除する（ステップＳ２１１）。次に、「Ｆｌｏｏｒ解放」をオブジェクト記憶領域２０１に書き込む（ステップＳ２１２）。次に、優先順位リスト２１０において、「Ｆｌｏｏｒ解放」を、優先順位の第一位に設定する（ステップＳ２１３）。
次に、ＰＴＴ制御部１０７は、表示機能部１０８ａを介して、ピクト制御部１０８ｂに対して、ピクト更新要求を出力する（ステップＳ２０３、Ｓ２０４）。
【００４８】
ピクト制御部１０８ｂは、優先順位リスト２１０を用いて、状態表示行１０９ａに表示すべき表示オブジェクトを決定する（ステップＳ２０５）。次に、決定した表示オブジェクトをオブジェクト記憶領域２０１から読み出す（ステップＳ２０６）。次に、ピクト制御部１０８ｂは、読み出した表示オブジェクトを表示部１０９に対して出力して、状態表示行１０９ａに表示するように指示する（ステップＳ２０７）。
【００４９】
こうして、「Ｆｌｏｏｒ解放」が状態表示行１０９ａに表示される。ここで、「Ｆｌｏｏｒ解放」は、ＰＴＴ通話に係る情報のうちの一つである。
これにより、利用者は、Ｆｌｏｏｒの解放を知ることができる。
（４）状態表示行１０９ａからのＦｌｏｏｒ取得者名の削除の動作
状態表示行１０９ａからのＦｌｏｏｒ取得者名の削除の動作について、図１０に示すシーケンス図を用いて、説明する。なお、この説明は、図７に示すフローチャートのステップＳ１１９及びステップＳ１２０の詳細である。
【００５０】
ＰＴＴ制御部１０７は、Ｆｌｏｏｒ取得者名をオブジェクト記憶領域２０１から削除する（ステップＳ２２１）。次に、優先順位リスト２１０において、Ｆｌｏｏｒに関する設定を削除する（ステップＳ２２２）。
次に、ＰＴＴ制御部１０７は、表示機能部１０８ａを介して、ピクト制御部１０８ｂに対して、ピクト更新要求を出力する（ステップＳ２０３、Ｓ２０４）。
【００５１】
ピクト制御部１０８ｂは、優先順位リスト２１０を用いて、状態表示行１０９ａに表示すべき表示オブジェクトを決定する（ステップＳ２０５）。次に、決定した表示オブジェクトをオブジェクト記憶領域２０１から読み出す（ステップＳ２０６）。次に、ピクト制御部１０８ｂは、読み出した表示オブジェクトを表示部１０９に対して出力して、状態表示行１０９ａに表示するように指示する（ステップＳ２０７）。
【００５２】
こうして、電波状態を示すアイコン１４１及び電池残量を示すアイコン１４２が状態表示行１０９ａに表示される。
これにより、利用者は、ＰＴＴの終了又は他のアプリの終了を知ることができる。
３．まとめ
以上説明したように、ＰＴＴ通話中に、バックグラウンドで他の機能が動作することにより、ＰＴＴ通話に関する情報に代えて、当該他の機能に係る画面が表示される場合であっても、状態表示行１０９ａにＰＴＴ通話に関する情報が表示される。こうして利用者は、視覚的にＰＴＴ通話に関する情報を得ることができる。
【００５３】
例えば、ＰＴＴ通話の複数の相手の中に、声が似ている人がいるような場合、話をしている人が誰であるかを視覚的に判断することができる。
４．その他の変形例
なお、本発明を上記の実施の形態に基づいて説明してきたが、本発明は、上記の実施の形態に限定されないのはもちろんである。以下のような場合も本発明に含まれる。
【００５４】
（１）図５に示すように、上記の実施の形態によると、表示部１０９が画面１２１を表示している状態において、一例として、メール機能が起動される場合に、表示部１０９は、画面１２２を表示する。しかし、これには限定されない。
この場合に、表示部１０９は、図５の画面１２２に代えて、図１１に示す画面２２１を表示してもよい。
【００５５】
画面２２１においては、状態表示行１０９ａに、ＰＴＴへの参加者の顔を表したアイコン２２２、２２３、２２４及び２２５が表示されている。ここで、アイコン２２２、２２３、２２４及び２２５のうちの一つは、Ｆｌｏｏｒ取得者の顔を表すとしてもよい。図１１に示す例においては、アイコン２２２は、Ｆｌｏｏｒ取得者の顔を表している。Ｆｌｏｏｒ取得者の顔を表すアイコン２２２は、太枠により囲まれており、これにより、他の参加者と区別される。太枠は、Ｆｌｏｏｒ取得者であることを示すＦｌｏｏｒ取得マークである。なお、Ｆｌｏｏｒ取得マークは、これには限定されない。アイコンの左上（又は、左下、右上、右下）に、矢印、星印などを付すとしてもよい。
【００５６】
ここで、ＰＴＴへの参加者の顔を表したアイコン２２２、２２３、２２４及び２２５は、ＰＴＴ通話に係る情報のうちの一つである。
また、機能画面表示領域１０９ｂには、電子メール機能の選択肢を示す選択肢リスト１８１が表示されている。
ＰＴＴ電話帳に含まれる各通話相手情報は、通話相手のＩＤに対応付けて、通話相手の顔を表したアイコンを含んでいる。
【００５７】
ＰＴＴ制御部１０７は、各参加者ＩＤを受信すると、ＰＴＴ電話帳から参加者ＩＤに対応するアイコンが存在する位置を示すパス情報を、Ｆｌｏｏｒフラグとともに、オブジェクト記憶領域２０１に書き込む。ここで、Ｆｌｏｏｒフラグは、Ｆｌｏｏｒフラグに対応するパス情報により示されるアイコンが表す参加者が、Ｆｌｏｏｒを取得しているか否かを示す。Ｆｌｏｏｒフラグが「１」である場合には、当該参加者がＦｌｏｏｒを取得していることを示す。Ｆｌｏｏｒフラグが「０」である場合には、当該参加者がＦｌｏｏｒを取得していないことを示す。Ｆｌｏｏｒフラグは、アイコンが表示されるときに、アイコンにＦｌｏｏｒ取得マークを付するために用いられる。
【００５８】
ＰＴＴ制御部１０７は、Ｆｌｏｏｒ取得者ＩＤを受信すると、オブジェクト記憶領域２０１において、Ｆｌｏｏｒ取得者ＩＤに対応するＦｌｏｏｒフラグを「１」に設定する。また、Ｆｌｏｏｒの解放を受信すると、オブジェクト記憶領域２０１において、「１」に設定されているＦｌｏｏｒフラグを「０」に設定する。
次に、状態表示行１０９ａに参加者の顔を表すアイコンを表示する場合における携帯電話機１００の動作について、図１２に示すシーケンス図を用いて説明する。
【００５９】
ＰＴＴ制御部１０７は、参加者の顔を表すアイコンが存在する位置を示すパス情報を、Ｆｌｏｏｒフラグとともに、オブジェクト記憶領域２０１に書き込む（ステップＳ２２１）。ここで、ＰＴＴ制御部１０７は、ＰＴＴの開始時点、又は、参加者の変更の発生の通知を受け取った時点において、前記パス情報及びＦｌｏｏｒフラグを書き込み、又は、これらを更新する。
【００６０】
次に、ＰＴＴ制御部１０７は、優先順位リスト２１０において、参加者のアイコンを、優先順位の第一位に設定する（ステップＳ２２２）。
次に、ＰＴＴ制御部１０７は、表示機能部１０８ａを介して、ピクト制御部１０８ｂに対して、ピクト更新要求を出力する（ステップＳ２０３、Ｓ２０４）。
ピクト制御部１０８ｂは、優先順位リスト２１０を用いて、状態表示行１０９ａに表示すべき表示オブジェクトを決定する（ステップＳ２０５）。次に、決定した表示オブジェクトに対応するパス情報をオブジェクト記憶領域２０１から読み出す。次に、読み出したパス情報により示される位置に存在する表示オブジェクト（アイコン）を読み出す（ステップＳ２０６ａ）。次に、ピクト制御部１０８ｂは、読み出した表示オブジェクトを表示部１０９に対して出力して、状態表示行１０９ａに表示するように指示する（ステップＳ２０７）。
【００６１】
こうして、参加者のアイコンが状態表示行１０９ａに表示される。
これにより、利用者は、ＰＴＴの参加者及びＦｌｏｏｒ取得者を視覚的に知ることができる。
（２）図５に示すように、上記の実施の形態によると、表示部１０９が画面１２１を表示している状態において、一例として、メール機能が起動される場合に、表示部１０９は、画面１２２を表示する。しかし、これには限定されない。
【００６２】
この場合に、表示部１０９は、図５の画面１２２に代えて、図１３に示す画面２３１を表示してもよい。
画面２３１においては、状態表示行１０９ａに、電波状態を表すアイコン１４１及び電池残量を表すアイコン１４２とともに、Ｆｌｏｏｒ取得者名２３２が表示されている。
また、機能画面表示領域１０９ｂには、電子メール機能の選択肢を示す選択肢リスト１８１が表示されている。
【００６３】
この場合、ＰＴＴ制御部１０７は、優先順位リスト２１０において、アイコン１４１、アイコン１４２及びＦｌｏｏｒ取得者名２３２を、優先順位の第一位に設定する。
これにより、利用者は、携帯電話機１００の基本状態とともに、Ｆｌｏｏｒ取得者の名前を視覚的に知ることができる。
（３）図５に示すように、上記の実施の形態によると、ＰＴＴを開始すると、表示部１０９が画面１２１を表示する。しかし、これには限定されない。
【００６４】
ＰＴＴを開始すると、表示部１０９は、図１４に一例として示す画面２４１を表示してもよい。
画面２４１においては、状態表示行１０９ａに、ＰＴＴへの参加者の顔を表したアイコン２４２、２４３、２４４及び２４５が表示されている。ここで、アイコン２４２、２４３、２４４及び２４５のうちの一つは、Ｆｌｏｏｒ取得者の顔を表すとしてもよい。図１４に示す例においては、アイコン２４２は、Ｆｌｏｏｒ取得者の顔を表している。Ｆｌｏｏｒ取得者の顔を表すアイコン２４２は、太枠により囲まれており、これにより、他の参加者と区別される。
【００６５】
また、機能画面表示領域１０９ｂには、ＰＴＴ通話の参加者の名前の一覧である参加者名リスト１６１が表示されている。
この場合、ＰＴＴ制御部１０７は、アイコン２４２、２４３、２４４及び２４５を、優先順位の第一位に設定する。
これにより、利用者は、文字表示及びアイコン表示の両方により、Ｆｌｏｏｒ取得者を視覚的に知ることができる。
【００６６】
（４）図５に示すように、上記の実施の形態によると、表示部１０９が画面１２１を表示している状態において、一例として、メール機能が起動される場合に、表示部１０９は、画面１２２を表示する。しかし、これには限定されない。
ＰＴＴ中において、メール機能が起動される場合に、表示部１０９は、画面１２２に代えて、一例として図１５に示す画面２５１を表示してもよい。
【００６７】
画面２５１においては、状態表示行１０９ａに、電波状態を表すアイコン１４１及び電池残量を表すアイコン１４２が表示されている。
また、機能画面表示領域１０９ｂには、参加者名リスト１６１ａ及び選択肢リスト１８１ａが表示されている。参加者名リスト１６１ａは、図５に示す参加者名リスト１６１を縮小したものである。また、選択肢リスト１８１ａは、図５に示す選択肢リスト１８１を縮小したものである。
【００６８】
この場合、ＰＴＴ制御部１０７は、アイコン１４１及び１４２を、優先順位の第一位に設定する。
また、表示機能部１０８ａは、参加者名リスト１６１を縮小して、参加者名リスト１６１ａを生成し、選択肢リスト１８１を縮小して、選択肢リスト１８１ａを生成する。次に、参加者名リスト１６１ａ及び選択肢リスト１８１ａを表示部１０９に出力し、参加者名リスト１６１ａ及び選択肢リスト１８１ａを表示するように制御する。
【００６９】
これにより、利用者は、ＰＴＴ通話の参加者及びＦｌｏｏｒ取得者を知ることができるとともに、別のアプリの操作も行うことができる。
（５）上記の実施の形態及び各変形例において、状態表示行１０９ａにＦｌｏｏｒ取得者の名前を表示している。しかし、これには限定されない。
表示部１０９は、状態表示行１０９ａにＦｌｏｏｒ取得者の電話番号、Ｆｌｏｏｒ取得者を識別する識別情報等を表示してもよい。
【００７０】
また、表示部１０９は、状態表示行１０９ａに、Ｆｌｏｏｒ取得者の顔を表したアイコンを表示している。また、状態表示行１０９ａに、参加者の顔を表したアイコンを表示している。しかし、これには限定されない。
表示部１０９は、状態表示行１０９ａに、Ｆｌｏｏｒ取得者を識別できる図形や記号を表示してもよい。また、状態表示行１０９ａに、参加者を識別できる図形や記号を表示してもよい。
【００７１】
（６）本発明の実施の形態の一態様は、上記の携帯電話機を制御する制御方法であるとしてもよい。また、当該制御方法をコンピュータにより実現するコンピュータプログラムであるとしてもよいし、前記コンピュータプログラムからなるデジタル信号であるとしてもよい。ここで、コンピュータプログラムは、所定の機能を達成するために、コンピュータに対する指令を示す命令コードが複数個組み合わされて構成されたものである。
【００７２】
また、本発明の実施の形態の一態様は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【００７３】
また、本発明の実施の形態の一態様は、前記コンピュータプログラム又は前記デジタル信号を、電気通信回線、無線又は有線通信回線、インターネットを代表とするネットワーク、データ放送等を経由して伝送するものとしてもよい。
また、本発明の実施の形態の一態様は、マイクロプロセッサとメモリとを備えるコンピュータシステムであるとしてもよい。前記メモリは、上記コンピュータプログラムを記憶している。前記マイクロプロセッサは、前記コンピュータプログラムに従って動作するとしてもよい。
【００７４】
また、本発明の実施の形態の一態様において、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（７）上記実施の形態及び上記変形例をそれぞれ組み合わせるとしてもよい。
【００７５】
（８）本発明の実施の形態の一態様は、プッシュトゥトーク通話機能を有する携帯電話機であって、画像を表示する表示部と、プッシュトゥトーク通話を制御するＰＴＴ制御部と、利用者から入力操作を受け付ける操作部と、プッシュトゥトーク通話機能の起動中に受け取った前記入力操作が、他の機能に係る画面の表示操作を含む場合、前記表示部上に、プッシュトゥトーク通話に係る情報を表示するように制御する表示制御部とを備えることを特徴とする。
【００７６】
この態様によると、ＰＴＴ通話中に、他の機能に係る画面が表示される場合であっても、ＰＴＴ通話に関する情報を得ることができるという優れた効果を奏する。
また、本発明の実施の形態の別の一態様において、前記表示制御部は、前記表示部上に、前記他の機能に係る画面と共に、プッシュトゥトーク通話に係る情報を表示するように制御するとしてもよい。
【００７７】
この態様によると、前記他の機能に係る画面と共に、プッシュトゥトーク通話に係る情報が表示されるので、利用者は、前記他の機能を利用しながら、プッシュトゥトーク通話に係る情報を得ることができる。
また、本発明の実施の形態の別の一態様において、前記表示制御部は、前記携帯電話機の状態を表わす状態表示画像を、前記表示部に表示し、前記状態表示画像の表示部分に、前記プッシュトゥトーク通話に係る情報を表示するよう制御するとしてもよい。
【００７８】
この態様によると、前記携帯電話機の状態を知ることができるとともに、プッシュトゥトーク通話に係る情報を得ることができる。
また、本発明の実施の形態の別の一態様において、前記ＰＴＴ制御部は、発言権の新たな取得者の通知を受け取り、前記表示制御部は、プッシュトゥトーク通話に係る前記情報として、前記取得者を示す情報を表示するように制御するとしてもよい。
【００７９】
この態様によると、利用者は、発言権の新たな取得者を知って、発言者を特定することができる。
また、本発明の実施の形態の別の一態様において、前記表示制御部は、前記取得者を示す情報として、当該取得者の電話番号、名前、又は当該取得者を表すアイコンを表示するように制御するとしてもよい。
【００８０】
この態様によると、利用者は、電話番号、名前又はアイコンにより、発言者を特定することができる。
また、本発明の実施の形態の別の一態様において、前記ＰＴＴ制御部は、プッシュトゥトーク通話に参加する参加者の通知を受け取り、前記表示制御部は、プッシュトゥトーク通話に係る前記情報として、前記参加者を示す情報を表示するように制御するとしてもよい。
【００８１】
この態様によると、利用者は、プッシュトゥトーク通話に参加する参加者を特定することができる。
また、本発明の実施の形態の別の一態様において、前記表示制御部は、前記参加者を示す情報として、当該参加者を表すアイコンを表示するように制御するとしてもよい。
この態様によると、利用者は、電話番号、名前又はアイコンにより、参加者を特定することができる。
【００８２】
また、本発明の実施の形態の別の一態様において、前記ＰＴＴ制御部は、プッシュトゥトーク通話における発言権の解放を示す通知を受け取り、前記表示制御部は、プッシュトゥトーク通話に係る前記情報として、発言権の解放を示す解放情報を表示するように制御するとしてもよい。
この態様によると、利用者は、発言権を取得できる機会を知ることができる。
【００８３】
また、本発明の実施の形態の別の一態様において、前記表示制御部は、状態表示行に、当該携帯電話機の状態を表わすアイコンに代えて、又は、当該アイコンとともに、プッシュトゥトーク通話に係る前記情報を表示するように制御するとしてもよい。
この態様によると、状態表示行に、プッシュトゥトーク通話に係る前記情報が表示されるので、ＰＴＴ通話に関する情報を得ることができる。
【００８４】
また、本発明の実施の形態の別の一態様は、プッシュトゥトーク通話機能を有し、画像を表示する表示部を備える携帯電話機を制御する方法であって、プッシュトゥトーク通話を制御するＰＴＴ制御ステップと、利用者から入力操作を受け付ける操作ステップと、プッシュトゥトーク通話機能の起動中に受け取った前記入力操作が、他の機能に係る画面の表示操作を含む場合、前記表示部上に、プッシュトゥトーク通話に係る情報を表示するように制御する表示制御ステップと、を含むことを特徴とする。
【００８５】
この態様によると、ＰＴＴ通話中に、他の機能に係る画面が表示される場合であっても、ＰＴＴ通話に関する情報を得ることができるように、携帯電話機を制御することができるという優れた効果を奏する。
【産業上の利用可能性】
【００８６】
本発明にかかる携帯電話機は、ＰＴＴ通話中に、他の機能に係る画面が表示される場合であっても、ＰＴＴ通話に関する情報を得ることができるという優れた効果を奏し、ＰＴＴ機能を備える携帯電話機として有用である。
【符号の説明】
【００８７】
１００    携帯電話機
１０１    アンテナ
１０２    通信回路
１０３    音声処理部
１０４    マイク
１０５    スピーカ
１０６    記憶部
１０７    ＰＴＴ制御部
１０８    表示制御部
１０８ａ  表示機能部
１０８ｂ  ピクト制御部
１０９    表示部
１１０    制御部
１１１    操作部
【図１】
0005858860.tif 000002
【図２】
0005858860.tif 000003
【図３】
0005858860.tif 000004
【図４】
0005858860.tif 000005
【図５】
0005858860.tif 000006
【図６】
0005858860.tif 000007
【図７】
0005858860.tif 000008
【図８】
0005858860.tif 000009
【図９】
0005858860.tif 000010
【図１０】
0005858860.tif 000011
【図１１】
0005858860.tif 000012
【図１２】
0005858860.tif 000013
【図１３】
0005858860.tif 000014
【図１４】
0005858860.tif 000015
【図１５】
0005858860.tif 000016